【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
概して曲線の側壁、ベース、および縦軸を備える本体部分を有するプラスチック容器であって、
容器内の圧力変化に応答して内側に湾曲することによって反応するように構成された第１の制御撓み湾曲パネルを有する第１の側壁部分と、
同様に容器内の圧力変化に応答して内側に湾曲することによって反応するように構成された第２の制御撓み湾曲パネルを有する第２の側壁部分とを備え、
容器内の減少した圧力に応答して、前記第１の制御撓み湾曲パネルおよび前記第２の制御撓み湾曲パネルが、内側に湾曲することによって応答し、前記第１の制御撓み湾曲パネルおよび前記第２の制御撓み湾曲パネルが、異なる量で内側に湾曲する容器。
【請求項２】
前記第１の側壁部分が、第１の量の外向きの曲率を有し、前記第２の側壁部分が、異なる量の外向きの曲率を有する、請求項１に記載の容器。
【請求項３】
前記側壁は、断面が概して円形である、請求項１に記載の容器。
【請求項４】
前記側壁は、断面が概して楕円形である、請求項１に記載の容器。
【請求項５】
複数の前記第１の側壁部分と、
複数の前記第２の側壁部分と、
複数の移行壁とを備え、各移行壁が、前記第１の制御撓み湾曲パネルおよび前記第２の制御撓み湾曲パネルのそれぞれのパネル間に配置され、かつ前記第１の制御撓み湾曲パネルおよび前記第２の制御撓み湾曲パネルのそれぞれのパネルを接合する、請求項１に記載の容器。
【請求項６】
前記複数の第１の側壁部分が、前記複数の第２の側壁部分と交互に容器の縦軸の周りに配置される、請求項４に記載の容器。
【請求項７】
一対の第１の側壁部分と、
一対の第２の側壁部分とを備える、請求項１に記載の容器。
【請求項８】
前記一対の第１の側壁部分が、前記一対の第２の側壁部分と交互に容器の縦軸の周りに配置される、請求項７に記載の容器。
【請求項９】
前記第１の制御撓み湾曲パネルが、前記第２の制御撓み湾曲パネルの幅より狭い幅を有する、請求項１に記載の容器。
【請求項１０】
前記第２の制御撓み湾曲パネルが、組み込まれた１つまたは複数のリブを有する、請求項１に記載の容器。
【請求項１１】
一対の対向する第１の側壁部分および第２の側壁部分を含み、各側壁部分が、その湾曲パネルの配置、サイズ、および数に関して対向する側壁部分と対称である、請求項１に記載の容器。
【請求項１２】
一対の対向する第１の側壁部分および第２の側壁部分を含み、各側壁部分が、その湾曲パネルの配置、サイズ、および数に関して対向する側壁部分と対称である、請求項９に記載の容器。
【請求項１３】
一対の対向する第１の側壁部分および第２の側壁部分を含み、各側壁部分が、そのリブおよび湾曲パネルの配置、サイズ、および数に関して対向する側壁部分と対称である、請求項１０に記載の容器。
【請求項１４】
前記リブおよび前記湾曲パネルが、容器の充填および冷却時に容器の形状を維持するようになされたケージを形成するように協働する、請求項１３に記載の容器。
【請求項１５】
容器が高温充填可能である、請求項１に記載の容器。
【請求項１６】
前記第１の制御撓み湾曲パネルが、異なる外向きの曲率の少なくとも２つの領域を含む、請求項１に記載の容器。
【請求項１７】
前記少なくとも２つの領域の第１の領域が、より小さく外向きに湾曲し、より大きく外向きに湾曲する第２の領域より低い閾値で、容器内の圧力変化に反応するイニシエータ領域として作用する、請求項１６に記載の容器。
【請求項１８】
一対の対向する第１の制御撓み湾曲パネルおよび隣接する一対の対向する第２の制御撓み湾曲パネルが存在する、請求項１に記載の容器。
【請求項１９】
一対の対向する第１の制御撓み湾曲パネルおよび隣接する一対の対向する第２の制御撓み湾曲パネルが存在する、請求項９に記載の容器。
【請求項２０】
前記第１の制御撓み湾曲パネルが、組み込まれた１つまたは複数のリブを有する、請求項１に記載の容器。
【請求項２１】
組み込まれた前記リブが、容器の内部に対して、外向きまたは内向きに対面する丸い縁を有する、請求項１０に記載の容器。
【請求項２２】
前記リブが互いに平行である、請求項２１に記載の容器。
【請求項２３】
組み込まれた前記リブが、容器の内部に対して、外向きまたは内向きに対面する丸い縁を有する、請求項２０に記載の容器。
【請求項２４】
前記リブが互いに平行である、請求項２３に記載の容器。
【請求項２５】
前記第１の制御撓み湾曲パネルが、概して外向きの横方向曲率の領域を有する、請求項１に記載の容器。
【請求項２６】
前記第２の制御撓み湾曲パネルが、概して外向きの横方向曲率の領域を有する、請求項１に記載の容器。
【請求項２７】
前記第１の制御撓み湾曲パネルが、真空圧力下において反転位置にある、請求項１に記載の容器。
【請求項２８】
一対の第１の側壁部分が互いに対向し、かつ一対の第２の側壁部分が互いに対向し、前記第１の制御撓み湾曲パネルが、前記第２の制御撓み湾曲パネルより容器内の圧力変化に対してより反応性である、請求項７に記載の容器。
【請求項２９】
プラスチック本体を備える容器であって、プラスチック本体が、開口を画定するネック部分を有し、ネック部分が、ショルダ部分に接続され、ショルダ部分が、下方に延びかつ側壁に接続し、側壁が、下方に延びてベースを形成する底部部分と接合し、
前記側壁が、４つのパネルを含み、前記パネル間に配置され、かつ前記パネルを接合する垂直移行壁を含み、
前記４つのパネルが、
容器内の圧力変化に反応する第１の程度の能力で真空力から内側に収縮するように構成された一次制御撓み湾曲パネルと、
容器内の圧力変化に反応する第１の程度とは異なる第２の程度の能力で真空力から内側に収縮するように構成された二次制御撓みパネルとを備え、
前記プラスチック本体が、容積の収縮を増大させ、かつ圧力を減少させるように構成され、前記一次パネルおよび前記二次パネルが、包装またはその後の取扱いおよび貯蔵による内部の負圧に応答して内向きに収縮するように構成される容器。
【請求項３０】
内部の負圧が、前記容器における高温充填処理およびその後の高温液体の冷却中に作り出される、請求項２９に記載の容器。
【請求項３１】
前記パネルが、一対の対向する一次パネルおよび一対の対向する二次パネルを備える、請求項２９に記載の容器。
【請求項３２】
前記一次パネルが、前記二次パネルより小さい表面積を含む、請求項３１に記載の容器。
【請求項３３】
制御撓みパネルが、凸状、ほぼ平坦、または凹状（弧状）の形状であり、収縮後により凸状ではなくなる、ほぼ平坦になる、またはより凹状になる、請求項３１に記載の容器。
【請求項３４】
二次パネルが、凸状であり、収縮後により凸状ではなくなる、またはほぼ平坦になる、請求項３１に記載の容器。
【請求項３５】
一次パネルが、ほぼ平坦であり、収縮後に凹状になる、請求項３１に記載の容器。
【請求項３６】
一次パネルが、凸状であり、収縮後に凹状になる、請求項３１に記載の容器。
【請求項３７】
前記一次パネルが、前記二次パネルより多く内部の負圧を取込むように構成される、請求項３１に記載の容器。
【請求項３８】
一次パネルが、上方部分および下方部分を備える、請求項３１に記載の容器。
【請求項３９】
二次パネルが、上方パネル壁および下方パネル壁を備える、請求項３１に記載の容器。
【請求項４０】
前記ショルダと前記側壁との間の上方バンパ壁、および前記側壁と前記底部部分との間の下方バンパ壁をさらに備える、請求項２９に記載の容器。
【請求項４１】
前記上方バンパ壁および前記下方バンパ壁が、容器の周囲に沿って連続的に延びる、請求項４０に記載の容器。
【請求項４２】
前記一次パネルの前記上方部分および前記下方部分が、それぞれ前記上方バンパ壁および前記下方バンパ壁に移行する、請求項４０に記載の容器。
【請求項４３】
前記一次パネルの前記上方部分および前記下方部分を画定する水平方向移行壁をさらに備える、請求項３１に記載の容器。
【請求項４４】
前記水平方向移行壁が、容器の周囲に沿って連続的に延びる、請求項４３に記載の容器。
【請求項４５】
前記二次パネルが、少なくとも１つの水平リビングを含む、請求項３１に記載の容器。
【請求項４６】
前記二次パネルが、３つの水平リビングを含む、請求項３１に記載の容器。
【請求項４７】
前記リビングが、中間領域によって分離される、請求項４６に記載の容器。
【請求項４８】
前記リビングが連続的である、請求項４７に記載の容器。
【請求項４９】
前記側壁と前記ショルダ部分との間の少なくとも１つの凹みリブまたは溝、ならびに／あるいは前記側壁と前記下方底部部分との間の少なくとも１つの凹みリブまたは溝をさらに備える、請求項２９に記載の容器。
【請求項５０】
前記凹みリブまたは溝が、容器の周囲に沿って連続的である、請求項４９に記載の容器。
【請求項５１】
容器が、約０．２５リットルから約２リットル（約８から約６４オンス）のボトルである、請求項２９に記載の容器。
【請求項５２】
ショルダおよびベースが、ほぼ丸い、請求項２９に記載の容器。
【請求項５３】
一対の前記第１の制御撓み湾曲パネルおよび一対の前記第２の制御撓み湾曲パネルを備え、各対が、縦軸から等距離に配置される、請求項１に記載の容器。
【請求項５４】
一対の前記第１の制御撓み湾曲パネルおよび一対の前記第２の制御撓み湾曲パネルを備え、各対が、縦軸から異なる距離に配置される、請求項１に記載の容器。